(57)【要約】      （修正有）【課題】電子機器をしっかりと摘み上げることが可能とした上で、親指、人差し指による静電容量式タッチパネル上の滑りに支障を与えない手袋を提供する。【解決手段】手袋１の親指袋１１、人差し指袋１２、中指袋１３はその先端が導電体を含む繊維が単独で或いは非導電性繊維と共に編成された先端部３を有している。先端部３を除いた掌側の範囲には離散状に滑り止めパターン２が付着される。親指袋１１の先端部３の腹部中央から人差し指側の側面に掛けて滑り止めパターン２ｅが付着されて、腹部中央から外側の範囲の全域には導電体を含む繊維が露出しており、かつ人差し指袋１２の先端部３の腹部中央から親指側の側面に掛けて滑り止めパターン２ｅが付着されて、腹部中央から中指側の範囲の全域には前記導電体を含む繊維が露出している。【選択図】図１
0003177743.tif 000002
【実用新案登録請求の範囲】
【請求項１】
親指袋、人差し指袋、中指袋、薬指袋及び小指袋と、胴部からなる編み手袋であって、親指袋、人差し指袋、中指袋はその先端が導電体を含む繊維が単独で或いは非導電性繊維と共に編成された先端部を有し、前記先端部を除いた親指袋、人差し指袋、中指袋、薬指袋及び小指袋の胴部の掌側の範囲には離散状に付着された滑り止めパターンとを有し、さらに、前記親指袋の先端部の腹部中央から人差し指側の側面に掛けて滑り止めパターンが付着されて、腹部中央から外側の範囲の全域には前記導電体を含む繊維が露出しており、かつ前記人差し指袋の先端部の腹部中央から親指側の側面に掛けて滑り止めパターンが付着されて、腹部中央から中指側の範囲の全域には前記導電体を含む繊維が露出していることを特徴とする静電容量式タッチパネル操作用手袋。
【請求項２】
前記導電体を含む繊維は、蒸着により形成した銀の薄膜をポリエステルフィルムで挟んで細かくカットした銀蒸着スリット糸であることを特徴とした請求項１記載の静電容量式タッチパネル操作用手袋。
【考案の詳細な説明】
【技術分野】
【０００１】
本発明は、手袋着用状態で静電容量式タッチパネルを操作可能な手袋に関する。
【背景技術】
【０００２】
タブレット型ＰＣや、スマートフォンのような静電容量式タッチパネルを用いた電子機器に対して、装着したままの状態で操作できる手袋が知られている。その中で、電子機器を把持した際に、手袋から滑り落ちないように、手袋の掌や指にゴム等の滑り止めを付着されたものが、例えば、特許文献1〜３に示されている。例えばこの特許文献の内、最も出願の早い特許文献３には、掌側に滑り止めが設けられ、指の末節と外部の間との導通を導電性繊維を用いることにより許容する構造を有している。他の特許文献も特許文献３と同様に滑り止めと導電性繊維を用いた構成を有している。手袋は、人差し指、中指、薬指、ないしは小指の４本の指袋の基部に続いて４本胴部を形成し、親指の指袋を編成して５本胴を形成し、さらに口ゴム部を形成している。指袋の編み始めを導電性繊維により編成することにより、末節部に対応した指袋の範囲に導電性を持たせることができる。尚、導電性繊維としては硝酸銅を付着させた導電性繊維（「サンダーロン」日本蚕毛染色株式会社の登録商標）が知られている。
【先行技術文献】
【特許文献】
【０００３】
【特許文献１】実登３１６７３２７号公報
【特許文献２】実登３１７１２５０号公報
【特許文献３】実登３１６４３９２号公報
【考案の開示】
【考案が解決しようとする課題】
【０００４】
電子機器を持ち上げようとして摘む動作は、専ら親指と人差し指の夫々の末節腹同士を合わせることにより行うため、この箇所が滑り易いと電子機器が落下してダメージを受けてしまう。一方、静電容量式タッチパネルの操作においては、末節をパネル上で滑らせる動作を行うため、手袋の指先の末節に滑り止めを設けると、パネル上の滑りが阻害されてしまう。
【課題を解決するための手段】
【０００５】
上記課題を達成するために、本発明の手袋は、静電容量式のタッチパネルを用いた電子機器操作用の手袋において、親指袋、人差し指袋、中指袋、薬指袋及び小指袋と、胴部からなる編み手袋であって、親指袋、人差し指袋、中指袋はその先端が導電体を含む繊維が単独で或いは非導電性繊維と共に編成された先端部を有し、前記先端部を除いた親指袋、人差し指袋、中指袋、薬指袋及び小指袋の胴部の掌側の範囲には離散状に付着された滑り止めパターンとを有し、さらに、前記親指袋の先端部の腹部中央から人差し指側の側面に掛けて滑り止めパターンが付着されて、腹部中央から外側の範囲の全域には前記導電体を含む繊維が露出しており、かつ前記人差し指袋の先端部の腹部中央から親指側の側面に掛けて滑り止めパターンが付着されて、腹部中央から中指側の範囲の全域には前記導電体を含む繊維が露出していることを特徴とする。
【考案の効果】
【０００６】
本発明の手袋は、電子機器をしっかりと摘み上げることが可能とした上で、親指、人差し指による静電容量式タッチパネル上の滑りに支障を与えない手袋を提供することができる。
【図面の簡単な説明】
【０００７】
【図１】本実施例の手袋を説明する図である。
【図２】手袋の使用状態を示す図である。
【図３】本実施例の手袋の原理を説明する図である。
【考案を実施するための最良の形態】
【０００８】
以下、図面を参照して本考案を説明する。
【実施例１】
【０００９】
実施例１の編み手袋1を図１に示す。図１Ａは掌側、図１Ｂは手の甲側である。手袋１は、綿糸または合成繊維などの非導電性繊維を用いて編成されている。このうち、親指袋１１、人差し指袋１２、中指袋１３は、各指袋の編み始めに導電性繊維が綿糸または非電導の合成繊維と共に或いは単独で編成されている。導電性繊維による編成は、指の末節部（図中のｈで示す範囲）の１／３〜１／２の範囲にわたる先端部３までであり、その後は導電性繊維を編成しない。人差し指袋１２、中指袋１３、薬指袋１４、小指袋１５の指股部から４本胴１６を編成し、親指袋１１の指股部と４本胴１６から５本胴１７を編成して胴部を形成し、手首位置に相当する範囲１８にゴム編みが編成されている。
【００１０】
各指袋１１〜１５の腹側や胴部１６、１７の掌側の手袋表面には、例えば塩化ビニール樹脂材などの合成樹脂材やゴムを用いて滑り止めパターン２（２ａ〜２ｅ）が離散的に付着形成されている。パターン２は、どのような形状でも良いが、本実施例においては、各指袋１１〜１５の腹の部分に対して、関節の数よりも多い領域の矩形状パターン２ａが配置されている。また、薬指１５と小指１６の末節部には、他の矩形状パターンよりも大きい半月状の滑り止めパターン２ｃが付着している。胴部１６、１７にも、矩形状パターン２ｂが離散的に付着している。
【００１１】
人指し指袋１２について着目すると、導電性繊維が編入されている先端部３の指腹部分には、指腹中央ｃ１を挟んで親指側には矩形状パターン２ａよりも小さいパターン２ｅが付着されており、指腹中央ｃ１を挟んで中指側の全範囲には滑り止めパターン２が存在しておらず、導電性繊維が当該全範囲で指袋表面に露出している。一方、親指袋１１について着目すると、導電性繊維が編入されている先端部３の指腹部分には、指中央ｃ２を挟んで人差し指側には、矩形状パターン２ａよりも小さいパターン２ｅが付着されており、指中央を挟んで外側の全範囲には滑り止めパターン２が存在しておらず、導電性繊維が当該全範囲で指袋表面に露出している。
【００１２】
右手の場合は、人指し指の腹を平面に押し付けて指を振る動作をしたときに、滑り止めパターン２が付着していない中指側の先端部３の中央から中指側側面にかけて、押し付けた平面に摩擦しながら接触箇所が移動する。同様に、親指の腹を平面に押し付けて親指を振る動作をしたときに、滑り止めパターン２が付着していない外側の先端部３の中央から外側側面にかけて、押し付けた平面に摩擦しながら接触箇所が移動する。左手の場合は、この逆である。
【００１３】
図２は、右利きの操作者が、電子機器５を操作する様子を示している。電子機器５は、平板状であり、正面の大部分を占める大きな静電容量式タッチパネル６を有している。左手に装着した手袋の滑り止めパターン２により、電子機器５の背面と側面は掌の中に固定され、利き腕の右手により操作されている。右手が電子機器５を操作する際には、右手は電子機器５の右側におかれた状態で、指が電子機器５の右側から、静電容量式タッチパネル６上に伸びる様に配置されるため、親指、人差し指は静電容量式タッチパネル６と正対するのではなく、ほぼ半身の姿勢になる。そして、人差し指の指袋１２が左或いは右移動或いは上下移動をすることにより、先端部３の導電性繊維により静電容量が左右、上下方向に変化してポインティング操作がなされる。親指が使用される場合にも同様に親指は半身の姿勢で、親指の指袋の外側面にある先端部３の導電性繊維が使用される。
【００１４】
また、静電容量式タッチパネル６に表示された画像を摘むような動作あるいはその逆の動作においても、親指の外側側と人差し指の中指側の先端部３の導電性繊維が、静電容量式タッチパネルに摩擦しながら近接、離間移動する。さらに、静電容量式タッチパネル６に対して、正面から人差し指を振って往復させる動作においても、手首を時計回転させて手の甲から手のひらを返す、或いは手首を反時計回転させて手のひらから手の甲に返す動作が行われるため、滑り止めパターンが付着していない中指側の指袋先端部分の指腹中央ｃ１から中指側側面にかけての先端部３の導電性繊維は、押し付けられた静電容量式タッチパネル６に摩擦しながら接触箇所を移動させることになる。
【００１５】
さらに、右手のみで電子機器５を把持し、親指のみで操作する場合も、親指は機器の右から、静電容量式タッチパネル６上に伸びる様に配置されるため、上記と同様に半身姿勢となり、親指袋１１の外側面にある先端部３の導電性繊維が使用されることになる。
【００１６】
このように、本実施例の編み手袋１は、親指袋１１、人差し指袋１２の各先端部３の一方側には、滑り止めパターンが付着しておらず、かつ導電性繊維が編入されている部分が、静電容量式タッチパネル６に摩擦しながら移動することになるため、静電容量式タッチパネル６の操作に支障を与えない。
【００１７】
また電子機器５を掴み上げる動作においては、親指、人差し指は正対した状態で、電子機器５を挟むことになる。このため、親指袋１１と人差し指袋１２の各先端部３に付着したパターン２ｅが電子機器５と摩擦し、滑り落ちることを防止する。
【００１８】
尚、中指は、専ら静電容量式タッチパネルをタッピングする用途で使用されることが多く、また電子機器５を掴む動作においては、人差し指ほど寄与しないため、中指袋１３の先端部３には、滑り止めパターン２が付着されていない。
【実施例２】
【００１９】
上記実施例においては、導電性繊維は、繊維表面を金属が覆うことにより導電性を得ている。このため、指の末節と外部の間が導通する。導電性繊維は、表面に付着した金属が基材となる樹脂繊維の伸縮に追従できずに脱落するため、耐磨耗性の向上が課題となっている。静電容量式タッチパネル操作用として導電性繊維を使用すると、絶えずパネルと摩擦し、捻れによる変形を繰返し受けるため、通常よりも脱落しやすい状態で使用されることになる。脱落した金属は導電性の埃となり、埃を嫌う作業に使用し難い。また、金属が脱落することにより、静電容量式タッチパネルの操作ができなくなってゆく。
【００２０】
第２の実施例では、導電性繊維に代えて図３に示す銀蒸着スリット糸２０を用いて各指袋の先端部を編成する。他の構成は実施例１と同じである。銀蒸着スリット糸は、蒸着により形成した０．１マイクロメータ程度の厚さの銀の薄膜２２を９マイクロメータ程度の薄いポリエステルフィルム２１とポリエステルフィルム２３で挟んで、細かくカットした糸である。具体的には、ポリエステルフィルムの表面に銀を真空蒸着して、このように蒸着した２枚のポリエステルフィルムの皮膜面同士を張り合わせて、これを２３０マイクロメータ又は１５０マイクロメータ幅にカットする。カット面２４には、厚さ０．１マイクロメータ程度の銀が露出するが、糸の表面の面積に比べて圧倒的に露出面の面積は狭く、糸としては非導電性の性格を示す。一方、金属の中でも導電性の高い銀を使用していることにより、糸の中は電気抵抗が少なく流れることができるため、非常に薄い膜であっても高い電気抵抗にはならない。また、銀が露出しているため、抗菌作用が期待できる。このような糸として、例えば「ミューファン」（「ミューファン」は、株式会社麗光、株式会社ミューファン、豊島株式会社、伊藤忠商事株式会社の登録商標である）を利用することができる。
【００２１】
銀蒸着スリット糸２０は、表面がポリエステルフィルムで覆われているため、内部の銀が指と導通状態となることはなく、かつ外部とも非導通の状態である。この構造によればタッチパネルと摩擦して捻れによる変形を繰返し受けても金属が摩擦することが無く金属が脱落することはないため、導電性の埃を撒き散らすことはない。また、表面のポリエステルフィルムは、通常の衣料用素材であり、肌触りの異和感は無い。また、タッチパネルの表面フィルムを磨耗により曇らせることもない。さらに、銀蒸着スリット糸２０は、染色が可能であり、また、金属として銀が使用されており金属アレルギーを引き起こしにくい。
タッチパネルと銀蒸着スリット糸、及び銀蒸着スリット糸と指とは、静電結合することになる。表面のポリエステルフィルムは非常に薄いので、タッチパネルと指との間の静電容量の変化に十分に影響を与えることができる。尚、この原理については、当出願人による特願２０１２−４７９４９号に示されている。
【００２２】
実施例２で用いた銀蒸着スリット糸２０は、表面が絶縁体であるため、実施例１の導電性繊維と相違して、導電性を示すことはない。しかしながら、一方で、内部に導電体である銀を含んでいる。従って、銀蒸着スリット糸と導電性繊維の両方を含む概念として、本明細書においては、導電体を含む繊維と称することにする。
【符号の説明】
【００２３】
１  手袋
２  滑り止めパターン
３  先端部
５  電子機器
６  静電容量式タッチパネル
１１  親指袋
１２  人差し指袋
１３  中指袋
２０  銀蒸着スリット糸
【図１】
0003177743.tif 000003
【図２】
0003177743.tif 000004
【図３】
0003177743.tif 000005